(57)【要約】【課題】保管時において室内美観を損なわず、ゴキブリ等の出現に対し迅速に対応でき、衛生的かつ不潔感、不快感を伴わずに捕獲および死骸の処分ができる器具・装置を提供する。【解決手段】ゴキブリ等捕獲除去装置の筒状の容器は、ゴキブリの捕獲後は使い捨てるものであり、棒状の取って部（柄）とは、容易に着脱が可能であることを特徴とし、通常は棒状の取って部に装着され、ゴキブリ等発見時において取手部（柄）が押し込まれる圧力により筒状容器の蓋が外れ、あるいはアルミ、紙、ビニールなどの素材によるカバーが破れることにより、粘着剤、殺虫剤、洗剤などを含む繊維紐あるいは紙紐あるいは紙片あるいは合成樹脂紐などが外部に露出し、いわばモップのごとき形状となり粘着剤の効果によりゴキブリ等を捕捉し、殺虫剤、洗剤などの効果により死滅させ、筒状容器の内部に引き戻し、蓋をし、その容器ごとゴミとして処分することを可能とした。【選択図】  図２
2007054028.tif 000002
【特許請求の範囲】
【請求項１】
突然に出没するゴキブリ等に対し迅速に対応でき、捕獲および処分において、衛生的であり、不潔感、不快感を軽減したゴキブリ等捕獲除去装置。
【請求項２】
棒状の取手部（柄）と、内部に粘着剤、殺虫剤、洗浄剤などを付着あるいは染み込ませた繊維紐、紙紐、紙片、合成樹脂紐などを備える筒状の容器を備えたことを特徴とするゴキブリ等捕獲除去装置。
【請求項３】
上記の請求項２におけるゴキブリ等捕獲除去装置の筒状容器は、ゴキブリの捕獲後は使い捨てるものであり、棒状の取手部（柄）とは、容易に着脱が可能であることを特徴とし、通常は棒状の取手部に装着され、ゴキブリ等発見時において取手部（柄）に押し込まれる圧力により筒状の蓋が外れ、あるいはアルミ、紙、ビニールなどの素材によるカバーが破れることにより、粘着剤、殺虫剤、洗剤などを含む繊維紐あるいは紙紐あるいは紙片あるいは合成樹脂紐などが外部に露出することにより、モップのごとき形状となり粘着剤の効果によりゴキブリ等を捕捉し、殺虫剤、洗剤などの効果により死滅させ、その容器ごとゴミとして処分することを可能としたゴキブリ等捕獲除去装置である。
【請求項４】
上記の請求項１および請求項２におけるゴキブリ等捕獲除去装置は、長さ１メートルから１．５メートルの棒の先端に、長さが１０センチから１５センチ程度の筒状の容器が装着されており、ゴキブリ等が出没する台所、洗面所などに備えても美観を損なわず不潔感を伴わないことを特徴とし、ゴキブリ等の発見時に、この棒にて容器の内部に圧力を加え容器内容物を押し出すことによりモップの形状となり、ゴキブリ等の捕獲し死滅させ、ゴキブリ等の死骸、卵鞘、卵子および糞などとともに容器内容物を再び筒状の容器に引き戻し、筒状容器に蓋をし、この容器ごとゴミとして処分することが可能となり衛生的かつ不快感を軽減したことを特徴とする。
【請求項５】
上記の請求項１および請求項２におけるゴキブリ等捕獲除去装置は、ゴキブリ等を押しつぶすことなく捕獲することができ、またゴキブリ等の死骸だけでなく卵鞘・卵子および糞についても粘着剤にて回収・処分することを可能としたことを特徴とする。
【請求項６】
上記の請求項１および請求項２におけるゴキブリ等捕獲除去装置は、その棒の先端部分と筒状容器の底部分には、容易に着脱可能な接合部分を設けることにより、いわば水鉄砲のごとく筒状容器の内容物を押し出し、また捕獲後には筒状容器に引き戻すことができることを特徴とする。ゴキブリ等を捕り逃した場合等には、筒状容器に引き戻し、蓋をすることにより再度利用することを可能としたことを特徴とする。
【発明の詳細な説明】
【技術分野】
【０００１】本発明は、発見したゴキブリ等を迅速に捕獲し、尚且つ衛生的に、不快感を殆ど伴わずに除去する装置に関するものである。
【背景技術】
【０００２】発見したゴキブリ等の捕獲装置としては、殺虫剤の利用か、あるいは蝿たたきの利用などが通常である。また蝿たたきに粘着テープ等を貼り付けるということも行われ多数の特許出願、実用新案登録がなされている。しかし、むしろ一般的には、新聞紙などを丸めて叩くことによりゴキブリ等の退治として行われている。
【発明の開示】
【発明が解決しようとする課題】
【０００３】発見したゴキブリ等に対し、殺虫剤の使用は、必要以上に噴霧しがちで健康に問題を生じる可能性があり、またゴキブリ等の出現に迅速に対応しようとすると台所、洗面所などの目に付く場所に保管することとなり、室内美観および乳幼児への配慮が必要となる。蝿たたき、あるいはこれに粘着テープ等を貼り付けた用具は、保管において室内美観を損ない、また捕獲時および死骸の処分時においては不潔感、不快感を伴うものである。【０００４】このため本件の発明によって、保管時において室内美観を損なわず、ゴキブリ等の出現に対し迅速に対応でき、衛生的かつ不潔感、不快感を伴わずに捕獲および死骸の処分ができる器具・装置を提供する。
【課題を解決するための手段】
【０００５】突然のゴキブリ等の出没に対し、迅速に対応するためには、捕獲除去装置をゴキブリ等が出没しやすい台所、洗面所などに備えることが必要であり、このためには室内の美観を損なわず衛生的な機器であることが必要である。【０００６】本発明のゴキブリ等の捕獲除去装置は、通常の保管時においては、図１の通り、棒（柄）と使い捨ての筒状容器により構成され、美観も損なわず、衛生的なものとなっている。【０００７】ゴキブリ等の発見時においては、取っ手（棒）を持ち、筒状容器の角を床に押し当てることにより、棒は筒状容器の内部を圧迫することとなり、筒状容器の蓋が外れ、あるいはアルミ、紙、ビニールなどの素材によるカバーが破れ、粘着剤、殺虫剤、洗剤などを付着あるいは染み込ませた繊維紐あるいは紙紐あるいは紙片あるいは合成樹脂紐などが外部に露出し、いわば、モップのごとき形状となり粘着剤の効果によりゴキブリ等を捕捉し、殺虫剤、洗剤などの効果によりゴキブリ等を死滅させ、その容器ごとゴミとして処分することができるものである。【０００８】上述のモップのごとき形状であることにより、ゴキブリ等の脚部、腹部、触覚部などに絡みつき、粘着剤、殺虫剤、洗剤などの効果を、蝿たたきなどの平面に比べ著しく高めるものとした。【０００９】取っ手（棒）部の先端部分と、筒状容器の底部分とは、着脱可能な接合部により、いわば水鉄砲のごとく筒状容器の内容物を押し出し、また使用後は引き戻すことが出来るものとした。従い、ゴキブリ等の捕獲後は、死骸、卵鞘・卵子および糞などとともに筒状容器に引き戻し、また蓋をすることにより衛生的かつ不快感を殆ど伴わずに筒状容器ごとゴミとして処分することができるのである。【００１０】ゴキブリ等を捕り逃した場合には、内容物を筒状容器に引き戻し、蓋をすることにより筒状容器を再度利用することを有効にせしめた。
【発明の効果】
【００１１】本発明によるゴキブリ等の捕獲除去装置は、ゴキブリ等が出没しやすい台所、洗面所に備えても、不潔感がなく、美観を損なわないものであり、これにより、ゴキブリ等の発見時には、迅速に捕獲作業に対応できるものとなった。【００１２】棒状部分を持ち、筒状容器の先端の角を床に押し当てることにより、蓋あるいはカバーが外れ、筒状容器の内容物が押し出され、モップ状となり、粘着剤、殺虫剤、洗浄剤の効果を発揮できるものとした。【００１３】ゴキブリ等の死骸だけでなく、ゴキブリ等の卵鞘・卵子および糞もモップ状の部分の粘着剤により回収・処分することを有効なものとなった。【００１４】筒状容器は使い捨てであるから、清潔感は常に保たれるものとなっている。【００１５】従い、本件発明によるゴキブリ等捕獲除去装置は、突然のゴキブリ等の出現に備え、台所、洗面所などの室内美観を損なわず、迅速に捕獲でき、しかも衛生的かつゴキブリ等の捕獲および死骸処理に伴う不快感を軽減することに有効な器具・装置である。
【発明を実施するための最良の形態】
【００１６】本発明の具体的な実施例について説明する。【００１７】突然に出没するゴキブリ等に対し迅速に対応でき、捕獲および処分において、衛生的であり、不潔感、恐怖感を生じさせないゴキブリ等捕獲除去装置である。この装置の構成は、長さ１メートルから１．５メートルの棒状の取手部（柄）と、内部に粘着剤、殺虫剤、洗浄剤などを付着あるいは染み込ませた繊維紐、紙紐、紙片、合成樹脂紐などを備える長さが１０センチから１５センチ程度の筒状の容器を備えたことを特徴とする。【００１８】ゴキブリ等捕獲除去装置の筒状の容器は、ゴキブリの捕獲後は使い捨てるものであり、棒状の取って部（柄）とは、容易に着脱が可能であることを特徴とし、通常は棒状の取手部の先端に装着され、ゴキブリ等発見時において取手部（柄）が押し込まれる圧力により筒状容器の蓋が外れ、あるいはアルミ、紙、ビニールなどの素材によるカバーが破れることにより、粘着剤、殺虫剤、洗剤などを含む繊維紐あるいは紙紐あるいは紙片あるいは合成樹脂紐などが外部に露出し、いわばモップのごとき形状となり粘着剤の効果によりゴキブリ等を捕捉し、殺虫剤、洗剤などの効果により死滅させ、筒状容器に蓋をし、その容器ごとゴミとして処分することを可能としたゴキブリ等捕獲除去装置である。【００１９】本発明におけるゴキブリ等捕獲除去装置は、長さ１メートルから１．５メートルの棒の先端に長さが１０センチから１５センチ程度の筒状の容器が装着されており、ゴキブリ等が出没する台所、洗面所などに備えても美観を損なうことなく不潔感を伴わないことを特徴とし、ゴキブリ等の発見時に、この棒にて、容器の内部に圧力を加え容器内容物を押し出すことによりモップのごとき形状となり、この粘着剤、殺虫剤、洗浄剤などによりゴキブリ等の捕獲し死滅させ、ゴキブリ等の死骸等とともに容器内容物を再び筒状容器に引き戻し、筒状容器に蓋をし、この容器ごとゴミとして処分することにより衛生的かつ不快感を軽減するものである。【００２０】本発明によるゴキブリ等捕獲除去装置は、ゴキブリ等を押しつぶすことなく捕獲することができ、また粘着剤によりゴキブリ等の卵鞘・卵子および糞もモップ状の部分の粘着剤により回収・処分することを有効なものとした。【００２１】本発明のゴキブリ等捕獲除去装置は、その棒の先端部分と筒状容器の底部分には、容易に着脱可能にする接合部分を設けることにより、いわば水鉄砲のごとく筒状容器の内容物を押し出し、また捕獲後には筒状容器に引き戻すことができることを特徴とする。ゴキブリ等を捕り逃した場合には、筒状容器に引き戻し、蓋をすることにより再度利用することを有効にせしめた。
【産業上の利用可能性】
【００２２】突然のゴキブリ等の出現に備え、台所、洗面所などの室内美観を損なわず、迅速に捕獲でき、しかも衛生的かつゴキブリ等の捕獲および死骸処理に伴う不快感を軽減することに有効な器具・装置である。
【図面の簡単な説明】
【００２３】
【図１】本発明によるゴキブリ等の捕獲除去装置の、保管時における状態の概略図である。
【図２】本発明によるゴキブリ等の捕獲除去装置の、捕獲作業時における状態の概略図である。
【図３】本発明によるゴキブリ等の捕獲除去装置の、捕獲作業後における状態の概略図である。
【図１】
2007054028.tif 000003
【図２】
2007054028.tif 000004
【図３】
2007054028.tif 000005